(57)【要約】【課題】  濃度ムラや文字つぶれ、かすれの発生を未然に防止する感光記録媒体を用いたデータ記録装置におけるレーザ光焦点位置自動調整機構及びその方法を提供する。【解決手段】  このデータ記録装置におけるレーザ光焦点位置自動調整機構は、レーザ光検知センサ２４〜２６を感光記録媒体を設置するドラム１４内面の左右及び下に設置し、レーザ光を光源７から発射し、レーザ光検知センサ２４〜２６それぞれに到達するまでの時間を計測することで、レーザ光を走査する回転プリズム１６とドラム１４内面間の距離の良否判断を行い、さらに、この距離の異常を検知した場合には、ドラム１４の側面及び底面に設置した調整ネジ２７，２８，３２，３３，３７，３８の回転制御を行うことで、ドラム１４の高さ及び水平方向の位置を適正状態に自動調整することにより回転プリズム１６とドラム１４内面間の距離を常に規定距離と同じにすることを特徴とする。【選択図】      図１
2005153396.tif 000002
【特許請求の範囲】
【請求項１】
レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記ドラムの側面及び底面に設置した調整ネジの回転制御を行うことで、前記ドラムの高さ及び水平方向の位置を適正状態に自動調整することにより前記回転プリズムと前記ドラム内面間の距離を常に規定距離と同じにすることを特徴とする感光記録媒体を用いたデータ記録装置におけるレーザ光焦点位置自動調整機構。
【請求項２】
レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記ドラムの側面及び底面に設置した調整ネジの回転制御を行うことで、前記ドラムの高さ及び水平方向の位置を適正状態に自動調整することにより前記回転プリズムと前記ドラム内面間の距離を常に規定距離と同じにすることを特徴とする感光記録媒体を用いたデータ記録装置におけるレーザ光焦点位置自動調整方法。
【請求項３】
レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記回転プリズムと前記回転プリズムを回転させる主走査モータの位置修正情報を算出し、本算出結果を元に左右調整モータと高さ調整モータの回転制御を行い、前記回転プリズムと前記主走査モータの自動位置調整を行うことを特徴とする感光記録媒体を用いたデータ記録装置におけるレーザ光焦点位置自動調整機構。
【請求項４】
レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記回転プリズムと前記回転プリズムを回転させる主走査モータの位置修正情報を算出し、本算出結果を元に左右調整モータと高さ調整モータの回転制御を行い、前記回転プリズムと前記主走査モータの自動位置調整を行うことを特徴とする感光記録媒体を用いたデータ記録装置におけるレーザ光焦点位置自動調整方法。
【請求項５】
記録する為のデータを外部から受信するデータ受信部と、装置全体の動作制御を行う制御回路と、光源となる半導体レーザを含む光学部と、前記制御回路から伝送された受信データを感光記録媒体に記録するデータ記録部と、レーザ光が光源から発射され感光記録媒体に到達するまでの時間を計測する焦点位置算出回路と、この焦点位置算出回路で計測したレーザ光の到達時間データを元に光源から感光記録媒体迄の焦点位置のずれ量を算出し、本位置を一定距離にする為に機構部の自動位置調整を制御する焦点位置調整回路とを備えることを特徴とする感光記録媒体を用いたデータ記録装置におけるレーザ光焦点位置自動調整機構。
【請求項６】
前記焦点位置調整回路が、前記焦点位置算出回路により焦点位置に異常があると判断した場合、良否判断情報を元に回転プリズムに対するドラムの位置ずれの向きを判断し、前記回転プリズムの位置が適正位置に対して左右上下いずれかにずれていることが判明すると、前記ドラムを左右上下方向に位置調整する水平、垂直方向調整指示信号を生成することを特徴とする請求項５記載の感光記録媒体を用いたデータ記録装置におけるレーザ光焦点位置自動調整機構。
【発明の詳細な説明】
【技術分野】
【０００１】
本発明は感光記録媒体を用いたデータ記録装置におけるレーザ光焦点位置自動調整機構及びレーザ光焦点位置自動調整方法に関する。
【背景技術】
【０００２】
従来技術では、図６に示すように、外部からドットパターンのイメージデータをデータ受信部１にて受信する。データ受信部１で受信したイメージデータは同部でＡ／Ｄ変換され、制御回路２に転送される。制御回路２でイメージデータを蓄積後、同回路から命令を受けた図７に示す搬送ローラ１２が回転し、フィルム１０をマガジン１１からカッタユニット１３まで搬送する。カッタユニット１３でフィルム１０を定型サイズにカットする。カッタユニット１３でカット後、フィルム１０は給排紙ローラ１５の回転によりドラム１４内部に搬送される。
【０００３】
次に、制御回路２からの命令により主走査モータ１７及び回転プリズム１６が一定速度で回転し、それに合わせて光学部３における光源７にレーザ光発射指示信号が伝送される。光源７は、本信号を受けレーザ光を発射する。光源７から発射されたレーザ光は集光レンズ８で集光され、回転プリズム１６に到達する。一定速度で回転している回転プリズム１６に照射されたレーザ光は９０゜偏向され、記録開始位置検知センサ１８で検知される。制御回路２にて本検知信号を元に受信データの記録開始タイミングを算出し、光源７にレーザ光の発射／停止命令を伝送する。これにより、図７に示す主走査方向Ａにレーザ光が走査される。
【０００４】
レーザ光による主走査方向Ａのデータ記録に合わせて、制御回路２からの命令により副走査モータ２１が一定速度で回転しており、本回転力によりドラム１４が副走査方向Ｂに移動する。ドラム１４の副走査移動に合わせてレーザ光による主走査方向Ａの記録が繰り返し行われることにより、フィルム１０への受信データ記録が完了する。
【０００５】
受信データの記録完了後、制御回路２の命令により給排紙ローラ１５が回転し、フィルム１０が外部に排出される。
【０００６】
以上のように、従来技術では回転プリズム１６とドラム１４内面の各位置との距離を装置側で認識できない為、この距離のずれによって生じる濃度ムラや文字つぶれ、かすれを未然に回避することが出来なかった。
【０００７】
また、半導体レーザを用いたデータ記録装置における光軸補正方式として、特許文献１には平面走査における光軸の自動補正方式が記載されている。
【０００８】
この特許文献１に記載されている光軸自動補正方式は、光源から発射された光軸の位置を自動検知し、光源とポリゴンミラーの間に配置した２個の偏向ミラーを回転駆動させることで、光軸の軌道を制御し、記録媒体との距離を適正距離にするものである。
【０００９】
【特許文献１】特開平５−３０７１４８号公報（第２−５頁、図１、図２）
【発明の開示】
【発明が解決しようとする課題】
【００１０】
しかし、上記従来技術では次の問題点がある。
【００１１】
第１の問題点は、ポリゴンミラー反射後のレーザ光の光軸調整が出来ない、ということである。
【００１２】
その理由は、光源からポリゴンミラー間で光軸にずれが生じた場合には２個の駆動ミラーの回転で本軌道を調整することが可能だが、ポリゴンミラーに回転ずれが生じた場合には、既に２個の駆動ミラーを通過している為、それ以降の光軸の軌道を補正することが出来ない、ということにある。
【００１３】
第２の問題点は、垂直方向の光軸調整が出来ない、ということである。
【００１４】
その理由は、光軸のずれを補正する駆動ミラーは水平方向に回転する為、光軸の軌道が垂直方向にずれていた場合には補正ができない、ということにある。
【００１５】
本発明の目的は、運用状態にて回転プリズムとドラム内面間距離を常に監視し、この距離にずれが生じた場合にはこのずれを自動的に修正することにより、濃度ムラや文字つぶれ、かすれの発生を未然に防止する感光記録媒体を用いたデータ記録装置におけるレーザ光焦点位置自動調整機構及びレーザ光焦点位置自動調整方法を提供することにある。
【課題を解決するための手段】
【００１６】
本発明の感光記録媒体を用いたデータ記録装置におけるレーザ光焦点位置自動調整機構は、レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記ドラムの側面及び底面に設置した調整ネジの回転制御を行うことで、前記ドラムの高さ及び水平方向の位置を適正状態に自動調整することにより前記回転プリズムと前記ドラム内面間の距離を常に規定距離と同じにすることを特徴とする。
【００１７】
また、本発明の感光記録媒体を用いたデータ記録装置におけるレーザ光焦点位置自動調整方法は、レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記ドラムの側面及び底面に設置した調整ネジの回転制御を行うことで、前記ドラムの高さ及び水平方向の位置を適正状態に自動調整することにより前記回転プリズムと前記ドラム内面間の距離を常に規定距離と同じにすることを特徴とする。
【００１８】
さらに、本発明の感光記録媒体を用いたデータ記録装置におけるレーザ光焦点位置自動調整機構は、レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記回転プリズムと前記回転プリズムを回転させる主走査モータの位置修正情報を算出し、本算出結果を元に左右調整モータと高さ調整モータの回転制御を行い、前記回転プリズムと前記主走査モータの自動位置調整を行うことを特徴とする。
【００１９】
さらに、感光記録媒体を用いたデータ記録装置におけるレーザ光焦点位置自動調整方法は、レーザ光検知センサを感光記録媒体を設置するドラム内面の左右及び下に設置し、レーザ光を光源から発射し、前記レーザ光検知センサそれぞれに到達するまでの時間を計測することで、レーザ光を走査する回転プリズムと前記ドラム内面間の距離の良否判断を行い、さらに、この距離の異常を検知した場合には、前記回転プリズムと前記回転プリズムを回転させる主走査モータの位置修正情報を算出し、本算出結果を元に左右調整モータと高さ調整モータの回転制御を行い、前記回転プリズムと前記主走査モータの自動位置調整を行うことを特徴とする。
【００２０】
さらに、感光記録媒体を用いたデータ記録装置におけるレーザ光焦点位置自動調整機構は、記録する為のデータを外部から受信するデータ受信部と、装置全体の動作制御を行う制御回路と、光源となる半導体レーザを含む光学部と、前記制御回路から伝送された受信データを感光記録媒体に記録するデータ記録部と、レーザ光が光源から発射され感光記録媒体に到達するまでの時間を計測する焦点位置算出回路と、この焦点位置算出回路で計測したレーザ光の到達時間データを元に光源から感光記録媒体迄の焦点位置のずれ量を算出し、本位置を一定距離にする為に機構部の自動位置調整を制御する焦点位置調整回路とを備えることを特徴とする。
【００２１】
さらに、感光記録媒体を用いたデータ記録装置におけるレーザ光焦点位置自動調整機構は、前記焦点位置調整回路が、前記焦点位置算出回路により焦点位置に異常があると判断した場合、良否判断情報を元に回転プリズムに対するドラムの位置ずれの向きを判断し、前記回転プリズムの位置が適正位置に対して左右上下いずれかにずれていることが判明すると、前記ドラムを左右上下方向に位置調整する水平、垂直方向調整指示信号を生成することを特徴とする。
【発明の効果】
【００２２】
第１の効果は、回転プリズムとドラム内面間の距離のずれにより記録品質が低下した記録媒体の使用量節減である。
【００２３】
従来技術では、回転プリズムとドラム内面間の距離のずれを自動検知できない為、データの記録結果からその発生有無を確認していた。回転プリズムとドラム内面間の距離のずれは濃度ムラや文字つぶれ、かすれといった記録品質低下に繋がり、本問題が発生した記録媒体は業務上、使用できない為に廃棄せざるを得ない。
【００２４】
本発明は、運用状態で回転プリズムとドラム内面間の距離を常に監視し、異常時には適正距離に自動修正する。これにより、濃度ムラや文字つぶれ、かすれにより業務上、使用できない記録媒体の使用量節減を図ることができる。
【００２５】
第２の効果は、回転プリズムとドラム内面間の距離のずれに伴う記録品質低下の発生頻度軽減である。
【００２６】
従来技術では、機構部の経年変化等により回転プリズムとドラム内面間の距離にずれが生じた場合、それ以降記録した出力結果では、濃度ムラや文字つぶれ、かすれといった記録品質低下が固定現象化する。
【００２７】
本発明では、第１の効果で説明した通り、運用状態で回転プリズムとドラム内面間の距離を常に監視し、異常時に適正距離への自動調整を行う為、機構部の経年変化によって回転プリズムとドラム内面間の距離にずれが生じた場合も正常時と同様の記録品質を維持す
ることができる。
【００２８】
第３の効果は、障害対応時における焦点位置の調整作業廃止である。
【００２９】
従来技術では、回転プリズムとドラム内面間の焦点位置のずれを自動検知できない為、主走査モータを不良交換した場合には作業者が本ずれ量を目視確認し、ドラムを適正位置に手動調整する必要があった。
【００３０】
この為、作業に長時間を要することや作業者の技術力により調整誤差が生じるといった問題があった。本発明では、前述の通り焦点位置のずれ検知とドラムの位置調整を装置側で自動的に行う為、手動調整作業が不要になり、調整誤差の発生防止と調整時間の短縮を図ることが出来る。
【発明を実施するための最良の形態】
【００３１】
本発明は、半導体レーザを光源として円筒内面結像走査方式により感光記録媒体に受信データを記録する装置において、円周状に走査されるレーザ光焦点位置を自動調整して一定距離に保つ感光記録媒体を用いたデータ記録装置におけるレーザ光焦点位置自動調整機構及びレーザ光焦点位置自動調整方法である。
【００３２】
次に、本発明の実施の形態について図面を参照して詳細に説明する。
【００３３】
本発明の一実施の形態をブロックで示す図１及びこの実施の形態の記録動作原理図である図２を参照すると、この実施の形態の感光記録媒体を用いたデータ記録装置におけるレーザ光焦点位置自動調整機構は、記録する為のデータを外部から受信するデータ受信部１と、装置全体の動作制御を行う制御回路２と、光源となる半導体レーザを含む光学部３と、制御回路２から伝送された受信データを感光記録媒体に記録するデータ記録部４と、本発明であるレーザ光が光源から発射され感光記録媒体に到達するまでの時間を計測する焦点位置算出回路５と、この焦点位置算出回路５で計測したレーザ光の到達時間データを元に光源から感光記録媒体迄の焦点位置のずれ量を算出し、本位置を一定距離にする為に機構部の自動位置調整を制御する焦点位置調整回路６とから構成される。
【００３４】
光学部３は、図２に示すように、光源７と、光源７から発射されたレーザ光を集光する集光レンズ８と、光源７と集光レンズ８とを支持する光学台９とで構成される。
【００３５】
データ記録部４は、感光記録媒体であるフィルム１０と、フィルム１０を装置内部にセットする為のマガジン１１と、フィルム１０をマガジン１１から搬送する搬送ローラ１２と、フィルム１０を定型サイズで切断するカッタユニット１３と、カッタユニット１３を通過してフィルム１０がセットされるドラム１４と、フィルム１０をドラム１４内部に搬送する給排紙ローラ１５と、光源７から発射されたレーザ光を９０゜偏向する回転プリズム１６と、回転プリズム１６に連結し一定速度で回転する主走査モータ１７と、レーザ光によりフィルム１０表面に受信データを記録する際に記録開始タイミングを検出する記録開始位置検知センサ１８と、ドラム１４の副走査移動を支持するボールネジ１９と、ボールネジ１９に回転力を伝達する副走査プーリ２０と、ボールネジ１９を回転させる為の駆動力を発生する副走査モータ２１と、副走査モータ２１の回転力を副走査プーリ２０に伝達する副走査ベルト２２と、本発明であるドラム１４の水平方向の移動を支持するドラム支持台２３と、回転プリズム１６で偏向されたレーザ光をドラム１４内面上で検知するレーザ光検知センサ２４，２５，２６と、焦点位置調整回路６からの指示によりドラム前面の高さ調整を行う高さ調整ネジ２７，２８と、高さ調整ネジ２７，２８を回転させる為の高さ調整モータ２９と、高さ調整モータ２９の回転力を高さ調整ネジ２７，２８に伝達するタイミングベルト３０，３１と、ドラム１４背面の高さ調整を行う高さ調整ネジ３２，３３と、高さ調整ネジ３２，３３を回転させる為の高さ調整モータ３４と、高さ調整モータ３４の回転力を高さ調整ネジ３２，３３に伝達するタイミングベルト３５，３６と、ドラム１４の位置を水平方向にずらす為の左右調整ネジ３７，３８と、左右調整ネジ３７，３８を回転させる為の左右調整モータ３９と、左右調整モータ３９の回転力を左右調整ネジ３７，３８に伝達するタイミングベルト４０，４１とから構成される。
【００３６】
次に、図１，２，３及び４を用いて、この実施の形態の動作原理について説明する。
【００３７】
まず、外部からドットパターンのイメージデータを図１に示すデータ受信部１にて受信する。データ受信部１にて受信したイメージデータは同部でＡ／Ｄ変換され、制御回路２に転送される。
【００３８】
制御回路２でイメージデータを蓄積後、同回路からの命令を受け、図２に示す搬送ローラ１２が回転し、フィルム１０をマガジン１１からカッタユニット１３まで搬送する。
【００３９】
次に、カッタユニット１３でフィルム１０を定型サイズで切断する。カッタユニット１３で切断後、フィルム１０は給排紙ローラ１５の回転によりドラム１４内部に搬送される。この時、ドラム１４の内部は円柱状の空洞になっており、本内面に沿ってフィルム１０も円柱状にセットされる。
【００４０】
次に、制御回路２からの命令により光学部３の光源７からレーザ光が発射される。光源７から発射されたレーザ光は集光レンズ８で集光後、回転プリズム１６に到達する。
【００４１】
回転プリズム１６は制御回路２の命令により一定速度で回転している主走査モータ１７と同速度で回転している。一定速度で回転している回転プリズム１６に照射されたレーザ光は９０゜偏向され、ドラム１４の内面に沿って円周状に走査される。
【００４２】
回転プリズム１６で偏向されたレーザ光は、まず記録開始位置検知センサ１８で検出される。記録開始位置検知センサ１８からレーザ光検知信号が制御回路２に伝送され、本回路からの命令を受けレーザ光がレーザ光検知センサ２４で検知される位置で主走査モータ１７の回転が停止する。この時、レーザ光検知センサ２４はドラムの内面円周上で水平方向最右端に配置されている。主走査モータ１７の回転停止後、制御回路２からの命令により一度、光源７からのレーザ光発射を停止する。
【００４３】
次に、制御回路２から再度、レーザ光の発射命令が光源７に伝送される。この時、制御回路２からの発射命令は光源７と本発明である焦点位置算出回路５に同時伝送される。レーザ光の発射命令を受けた焦点位置算出回路５は、レーザ光が光源７から発射されてからレーザ光検知センサ２４に到達するまでの時間を計測する為にタイマーカウントを開始する。光源７から発射されたレーザ光は回転プリズム１６で９０゜偏向され、レーザ光検知センサ２４に到達する。レーザ光を検知したレーザ光検知センサ２４は、その検知信号を焦点位置算出回路５に伝送する。焦点位置算出回路５はレーザ光検知信号を受信した時点で前述のタイマーカウントを停止する。これにより、レーザ光が光源７から発射されてからレーザ光検知センサ２４に到達するまでに要した時間が算出され、本時間データは焦点位置調整回路６に蓄積される。
【００４４】
次に、制御回路２から主走査モータ１７に回転命令が伝送される。これにより、光源７からレーザ光が発射されている状態で主走査モータ１７が回転する。主走査モータ１７の回転により、レーザ光は回転プリズム１６で９０゜偏向され、レーザ光検知センサ２５に到達する。尚、レーザ光検知センサ２５はドラム１４内面上の最下点に配置されている。レーザ光検知センサ２５でレーザ光を検知した時点で、制御回路２からの命令により主走査モータ１７の回転と光源７のレーザ光発射を停止する。
【００４５】
次に、制御回路２から再度、レーザ光の発射命令が光源７に伝送される。この時、レーザ光の発射命令信号は前述の光源７からレーザ光検知センサ２４迄の到達時間計測と同様、光源７と焦点位置算出回路５に伝送される。レーザ光の発射命令信号を受信した焦点位置算出回路５は、レーザ光が光源７から発射されてレーザ光検知センサ２５に到達するまでの時間を計測する為、タイマーのカウントを開始する。光源７から発射されたレーザ光は回転プリズム１６で９０゜偏向され、レーザ光検知センサ２５に到達する。レーザ光を検知したレーザ光検知センサ２５は、その検知信号を焦点位置算出回路５に伝送する。焦点位置算出回路５はレーザ光検知信号を受信した時点でタイマーカウントを停止する。これにより、レーザ光が光源７から発射されてからレーザ光検知センサ２５に到達するまでに要した時間が算出され、本時間データは焦点位置調整回路６に蓄積される。
【００４６】
次に、制御回路２から主走査モータ１７に回転命令が伝送される。これにより、光源７からレーザ光が発射されている状態で主走査モータ１７が回転する。主走査モータ１７の回転により、レーザ光は回転プリズム１６で９０゜偏向され、レーザ光検知センサ２６に到達する。尚、レーザ光検知センサ２６はドラム１４内面上の水平方向最左端に配置されている。レーザ光検知センサ２６でレーザ光を検知した時点で、制御回路２からの指示により主走査モータ１７の回転と光源７からのレーザ光発射を停止する。次に、制御回路２から再度、レーザ光の発射命令が光源７に伝送される。この時、焦点位置算出回路５にも前述同様に本命令信号が伝送される。これにより、焦点位置算出回路５にてタイマーカウントが開始される。光源７から発射されたレーザ光は回転プリズム１６で９０゜偏向され、レーザ光検知センサ２６に到達する。レーザ光を検知したレーザ光検知センサ２６は、その検知信号を焦点位置算出回路５に伝送する。焦点位置算出回路５はレーザ光検知信号を受信した時点でタイマーカウントを停止する。これにより、レーザ光が光源７から発射されてからレーザ光検知センサ２６に到達するまでに要した時間が算出され、本時間データは焦点位置調整回路６に蓄積される。
【００４７】
焦点位置調整回路６は、自回路内に保持している光源７からレーザ光検知センサ２６までの規定到達時間値と実測時間値とを比較し焦点位置の良否判断を行う。回転プリズム１６とドラム１４の位置関係が適正の場合、回転プリズム１６がドラム１４内面円周に対する中心にある為、回転プリズム１６とレーザ光検知センサ２４，２５，２６までは一定距離になる。しかし、主走査モータ１７を障害等により交換した場合、取り付けネジ穴の微少な隙間により、主走査モータ１７とそれに連結している回転プリズム１６がドラム１４内面円周に対して中心の位置から外れる為、位置によって焦点位置に差が生じる。
【００４８】
焦点位置調整回路６は焦点位置に異常があると判断した場合、図４の良否判断情報を元に回転プリズム１６に対するドラム１４の位置ずれの向きを判断する。図３に示す例では、回転プリズム１６の位置が適正位置（点線部）に対して右斜め下にずれていることが判る。この場合、回転プリズム１６からレーザ光検知センサ２４，２５までの距離が規定距離よりも短く、レーザ光検知センサ２６までの距離は規定距離よりも長いことが判る。
【００４９】
以上から本例では、図４の情報を元にドラム１４を左方向かつ上方向に位置調整する必要があると焦点位置調整回路６が判断する。焦点位置調整回路６は、本判断結果を元にドラム１４の水平、垂直方向の調整指示信号を生成する。焦点位置調整回路６で生成された調整指示信号は、左右調整モータ３９と高さ調整モータ２９，３４に伝送される。
【００５０】
図３に示す例では、ドラム１４を左方向に移動させる為に左右調整モータ３９に反時計方向の回転命令が伝送される。左右調整モータ３９の回転力はタイミングベルト４０，４１を介して左右調整ネジ３７，３８に伝達される。これにより左右調整ネジ３７，３８も左右調整モータ３９同様に反時計方向に回転する。左右調整ネジ３７，３８はドラム１４の右側面内部までねじ込まれており、本ネジが反時計方向に回転することによりドラム１４はドラム支持台上を左方向に移動する。
【００５１】
高さ調整モータ２９，３４にはドラム１４を上方向に移動させる為に時計方向の回転命令が焦点位置調整回路６から伝送される。本信号を受け、高さ調整モータ２９，３４が時計方向に回転し、その回転力がタイミングベルト３０，３１，３５，３６を介して高さ調整ネジ２７，２８，３２，３３に伝達される。これにより、高さ調整ネジ２７，２８，３２，３３は高さ調整モータ２９，３４同様、時計方向に回転する。高さ調整ネジ２７，２８，３２，３３の先端はドラム１４底面に接しており、本ネジが時計方向に回転することによりドラム１４が上方向に押し上げられる。
【００５２】
次に、移動完了後のドラム１４の位置で再度、前述の動作原理により光源７からレーザ光検知センサ２４，２５，２６までの到達時間を計測し、焦点位置の良否判断を行う。
【００５３】
焦点位置に異常がある場合には、再度、前述の動作原理によりドラム１４の位置調整を行う。このドラム１４の位置調整は、光源７からレーザ光検知センサ２４，２５，２６までの焦点位置が同じ値になるまで繰り返し行う。
【００５４】
光源７からレーザ光検知センサ２４，２５，２６までの焦点位置調整が完了した時点で、従来技術による受信データの記録動作に入る。制御回路２でＡ／Ｄ変換されたドットイメージデータに合わせて光源７にレーザ光の発射／停止命令が伝送される。光源７は、制御回路２からの本命令を受けレーザ光の発射／停止動作を行う。光源７から発射されたレーザ光は回転プリズム１６で９０゜偏向され、フィルム１０上に照射される。この時、回転プリズム１６は主走査モータ１７と同速度で回転している為、偏向されたレーザ光は本回転方向（主走査方向Ａ）に合わせてフィルム１０上を走査する。
【００５５】
レーザ光による主走査記録に合わせて、制御回路２からの指示信号により副走査モータ２１も一定速度で回転しており、本回転力が副走査ベルト２２を介して副走査プーリ２０、ボールネジ１９に伝達されることで、ドラム１４が図２に示す副走査方向Ｂに移動する。以上からドラム１４の副走査移動に合わせてレーザ光による主走査方向Ａの走査が繰り返し行われることによりフィルム１０への受信データ記録が完了する。受信データ記録完了後、制御回路２からの命令により給排紙ローラ１５が回転し、フィルム１０を外部に排出する。
【００５６】
以上説明したように、本発明はレーザ光検知センサをドラム内面の左右、下に設置し、レーザ光が光源７から発射され、各レーザ光検知センサに到達するまでの時間を計測することで、回転プリズム１６とドラム１４内面間の距離の良否判断を行う。さらに、この距離の異常を検知した場合には、ドラム１４の側面及び底面に設置した調整ネジの回転制御を行うことで、ドラム１４の高さ及び水平方向の位置を適正状態に自動調整する。これにより回転プリズム１６とドラム１４内面間の距離を常に規定距離と同じにする。
【００５７】
次に、本発明の他の実施の形態について図５を用いて説明する。
【００５８】
上記実施の形態の動作説明では、回転プリズム１６とドラム１４内面間の距離を調整する手段として、ドラム１４の水平、垂直方向の位置調整を行うが、本距離を自動調整する他の手段としてドラム１４の位置を固定し主走査モータ１７及び回転プリズム１６の位置を調整する方法がある。
【００５９】
図５に示すように、左右調整モータ４２と、フレーム４６に固定した高さ調整モータ４３と、主走査モータ１７を固定する主走査モータ固定フレーム４４と本フレームの上下移動を支持する軸４５を配置する。
【００６０】
次に動作原理を説明する。
【００６１】
まず、光源７からレーザ光検知センサ２４，２５，２６までのレーザ光の各到達時間を上記実施の形態の動作原理で説明した方法で計測する。次に、本計測結果を元に焦点位置調整回路６で回転プリズム１６と主走査モータ１７の位置修正情報を算出する。本算出結果を元に左右調整モータ４２と高さ調整モータ４３の回転制御を行い、回転プリズム１６と主走査モータ１７の自動位置調整を行う。
【図面の簡単な説明】
【００６２】
【図１】本発明の一実施の形態の構成を示すブロック図である。
【図２】この実施の形態の詳細構造を示す斜視図である。
【図３】この実施の形態において焦点位置にずれが生じた場合の例を示す図である。
【図４】回転プリズムに対してドラムを適正位置に移動する為の例示を示す図である。
【図５】本発明の他の実施の形態の構成を示す図である。
【図６】従来例の構成を示すブロック図である。
【図７】従来例の詳細構成を示す斜視図である。
【符号の説明】
【００６３】
１    データ受信部
２    制御回路
３    光学部
４    データ記録部
５    焦点位置算出回路
６    焦点位置調整回路
７    光源
８    集光レンズ
９    光学台
１０    フィルム
１１    マガジン
１２    搬送ローラ
１３    カッタユニット
１４    ドラム
１５    給排紙ローラ
１６    回転プリズム
１７    主走査モータ
１８    記録開始位置検知センサ
１９    ボールネジ
２０    副走査プーリ
２１    副走査モータ
２２    副走査ベルト
２３    ドラム支持台
２４，２５，２６    レーザ光検知センサ
２７，２８，３２，３３    高さ調整ネジ
２９，３４    高さ調整モータ
３０，３１，３５，３６，４０，４１    タイミングベルト
３７，３８    左右調整ネジ
３９，４２    左右調整モータ
４３    高さ調整モータ
４４    主走査モータ固定フレーム
４５    軸
４６    フレーム
【図１】
2005153396.tif 000003
【図２】
2005153396.tif 000004
【図３】
2005153396.tif 000005
【図４】
2005153396.tif 000006
【図５】
2005153396.tif 000007
【図６】
2005153396.tif 000008
【図７】
2005153396.tif 000009